(57)【要約】【課題】本発明の実施形態が解決しようとする課題は、アーク時間が長い場合にもアークプラズマへのガス流の吹き付け力を高めたガス遮断器を提供することとする。【解決手段】本発明の実施形態のガス遮断器は、消弧性ガスが充填されたタンク内に設置された第１のアーク接触子と、前記第１のアーク接触子と対向して設置され、遮断動作時および投入動作時に前記第１のアーク接触子と接離する第２のアーク接触子と、前記第１のアーク接触子と前記第２のアーク接触子との接触部に連結し、遮断動作時に容積が圧縮されるパッファ室容器と、前記パッファ室容器と貫通孔を介して連結する畜圧室容器と、を備える。【選択図】図１
2012151000.tif 000002
【特許請求の範囲】
【請求項１】
消弧性ガスが充填されたタンク内に設置された第１のアーク接触子と、
前記第１のアーク接触子と対向して設置され、遮断動作時および投入動作時に前記第１のアーク接触子と接離する第２のアーク接触子と、
前記第１のアーク接触子と前記第２のアーク接触子との接触部に連結し、遮断動作時に容積が圧縮されるパッファ室容器と、
前記パッファ室容器と貫通孔を介して連結する畜圧室容器と、を備えるガス遮断器。
【請求項２】
前記パッファ室容器内の消弧性ガス圧力が、前記畜圧室容器より大きくなった場合に、前記パッファ室容器から前記畜圧室容器に消弧性ガスが流出し、
前記パッファ室容器内の消弧性ガス圧力が、前記畜圧室容器より小さくなった場合に、前記畜圧室容器から前記パッファ室容器に消弧性ガスが流出する
請求項１記載のガス遮断器。
【請求項３】
前記畜圧室容器は、弾性体により容積可変に形成された請求項１または２記載のガス遮断器。
【請求項４】
前記パッファ室と前記畜圧室容器は２つの貫通孔を介して連結しており、
前記貫通孔の一方は、前記パッファ室容器から前記畜圧室容器へ流出する消弧性ガスを抑制する逆止弁を備え、
前記貫通孔のもう一方は、前記畜圧室容器から前記パッファ室容器へ流出する消弧性ガスを抑制する逆止弁を備えた、
請求項１乃至３のいずれか１項に記載のガス遮断器。
【請求項５】
前記貫通孔に備えられた前記逆止弁は、弾性体により付勢されて前記貫通孔を閉塞する、
請求項４に記載のガス遮断器。
【請求項６】
前記畜圧室容器に設けられた仕切り板を備え、
前記仕切り板は、前記貫通孔の一方から前記貫通孔のもう一方に流れる消弧性ガスの流路長を長くする
請求項４または５のいずれか１項に記載のガス遮断器。
【発明の詳細な説明】
【技術分野】
【０００１】
本発明の実施形態は、ガス遮断器に関する。
【背景技術】
【０００２】
電流遮断機能を有する開閉装置として一般的に使用されているものとしてガス絶縁開閉器がある。このガス絶縁開閉器には，その使用目的，必要とされる機能に応じて，負荷開閉器，断路器，遮断器など様々なものが存在する。その多くは六フッ化硫黄ガス（以下、ＳＦ６ガスという。）等の消弧性ガス中に一対の接点を配置し、通電時には両者を接触状態に保つことで通電を行い，電流遮断時には接点を開離させて前記ガス中にアークプラズマ放電を発生させ，そのアークプラズマを消弧することで電流を遮断する方式のものである。
【０００３】
ここでは，７２ｋＶ以上の高電圧送電系統の保護用開閉器として広く使用されているパッファ形ガス遮断器を例にとり，従来の技術を説明する。
【０００４】
図１６はこのようなガス遮断器の断面構造図の一例であり、図１６（ａ）は遮断動作初期の開極直後、図１６（ｂ）は遮断動作後期における断面図を示している。また、図１６の各部品は中心軸を中心として円筒形状であるため、断面図の半分を図示している。図１６に示すように、接地された金属あるいは碍子等からなる密閉容器１５内には、消弧性ガス１６が充填されている。
【０００５】
近年普及しているガス遮断器においては、消弧性ガス１６として、ＳＦ６ガスが使用されることが多い。ＳＦ６ガスは、アークプラズマを消滅させる性能（消弧性能）、および電気絶縁性能に優れており、特に高電圧送電系統に用いられる電流の開閉装置においては広く使用されている。
【０００６】
密閉容器１５内には可動アーク接触子１および固定アーク接触子２が対向して配置されている。可動アーク接触子１および固定アーク接触子２は通常運転時では接触導通状態にあり、遮断動作時は相対移動により開離すると共に可動アーク接触子１および固定アーク接触子２間の空間にアークプラズマ１７が発生される。さらに、破線矢印で示す遮断方向１３にパッファ室容器４等が移動してパッファ室５の圧力が高くなり、アークプラズマ１７に向かってガス流１２ａが発生する。
【０００７】
以上を含む構成を有するガス遮断器の遮断過程において、パッファ室５の圧力は２つの方法により上昇される。ひとつの方法は固定アーク接触子２と可動アーク接触子１の間に発生する非常に高温なアークプラズマ１７のエネルギーによるもの、もうひとつの方法はパッファ室５が機械的に圧縮されることによるものである。これによりパッファ室５内に存在する消弧性ガス１６が高圧力のガス流１２ａとなってノズル３および可動アーク接触子１の間を通過してアークプラズマ１７へ高速に吹き付けられる。
【０００８】
アークプラズマ１７は、消弧性ガス１６がガス流１２ａとして吹き付けられることにより消滅され、電流が遮断できるようになる。一般的に、パッファ室５の圧力が高いほど、消弧性ガス１６が強力にアークプラズマ１７へと吹付けられるため、より高い電流遮断性能が得られることが知られている。なお、高温のアークプラズマ１７に吹付けられた消弧性ガス１６は高温状態となり、可動アーク接触子１内および固定アーク接触子２とノズル３の間を通過して、最終的には密閉容器１５内へ放散される。
【０００９】
また、パッファ室５を中心軸方向に２分割し、アークプラズマ１７に近い方のパッファ室の容積を限定することで、特に大電流遮断時にアークプラズマ１７への高い吹付け圧力を獲得する方式などが提案されている。
【００１０】
この方式によると、パッファ室の圧力上昇にアークプラズマの熱エネルギーを積極的に活用することで、より高い吹付け圧力が得られ、遮断性能を向上させることができる。このため遮断器を小形化することができ、固定アーク接触子の駆動に必要なエネルギーが低減されることにより、駆動装置は小形、低コストとなり、機械的な信頼性も向上する。
【００１１】
ガス遮断器ではアーク時間が長いときに電流遮断する際、電流零点付近でアークプラズマに吹き付ける必要があるが、上述のような消弧方式では、電流零点付近の時間帯はパッファ室の容積が小さく、機械的圧縮による吹き付け力は弱くなる。そのため、遮断に失敗するという問題があった。
【先行技術文献】
【特許文献】
【００１２】
【特許文献１】特開昭６２−２７６７１７号公報
【発明の概要】
【発明が解決しようとする課題】
【００１３】
本発明の実施形態が解決しようとする課題は、アーク時間が長い場合にもアークプラズマへのガス流の吹き付け力を高めたガス遮断器を提供することとする。
【課題を解決するための手段】
【００１４】
本発明の実施形態のガス遮断器は、消弧性ガスが充填されたタンク内に設置された第１のアーク接触子と、前記第１のアーク接触子と対向して設置され、遮断動作時および投入動作時に前記第１のアーク接触子と接離する第２のアーク接触子と、前記第１のアーク接触子と前記第２のアーク接触子との接触部に連結し、遮断動作時に容積が圧縮されるパッファ室容器と、前記パッファ室容器と貫通孔を介して連結する畜圧室容器と、を備える。
【図面の簡単な説明】
【００１５】
【図１】第１の実施形態におけるガス遮断器の遮断動作初期の状態を示す断面図。
【図２】第１の実施形態におけるガス遮断器のＸ−Ｘ’断面図。
【図３】第１の実施形態におけるガス遮断器の遮断動作中期の状態を示す断面図。
【図４】第１の実施形態におけるガス遮断器の遮断動作後期の状態を示す断面図。
【図５】第１の実施形態におけるガス遮断器の畜圧室容器２５を円筒形状とした場合のＸ−Ｘ’断面図。
【図６】第２の実施形態におけるガス遮断器の遮断動作初期の状態を示す断面図。
【図７】第２の実施形態におけるガス遮断器のＸ−Ｘ’断面図。
【図８】第２の実施形態におけるガス遮断器の遮断動作中期の状態を示す断面図。
【図９】第２の実施形態におけるガス遮断器の遮断動作後期の状態を示す断面図。
【図１０】第２の実施形態におけるガス遮断器の畜圧室容器２５を複数備えた場合のＸ−Ｘ’断面図。
【図１１】第３の実施形態におけるガス遮断器の遮断動作初期の状態を示す断面図。
【図１２】第３の実施形態におけるガス遮断器のＸ−Ｘ’断面図。
【図１３】第３の実施形態におけるガス遮断器の遮断動作中期の状態を示す断面図。
【図１４】第３の実施形態におけるガス遮断器の遮断動作後期の状態を示す断面図。
【図１５】第３の実施形態におけるガス遮断器の畜圧室容器２５を複数備えた場合のＸ−Ｘ’断面図。
【図１６】（ａ）従来のガス遮断器の遮断動作初期の状態を示す断面図。（ｂ）従来のガス遮断器の遮断動作後期の状態を示す断面図。
【発明を実施するための形態】
【００１６】
以下、本発明の実施形態におけるガス遮断器について図面を参照して説明する。
【００１７】
（第１の実施形態）
第１の実施形態にけるガス遮断器の構成について図１および図２を用いて説明する。図１は、ガス遮断器の遮断動作初期の開極直後の状態を示す断面図である。図１のガス遮断器は、中心軸を中心として円筒形状であるため、断面図の半分を示している。
【００１８】
ガス遮断器は、可動アーク接触子１、固定アーク接触子２、ノズル３、パッファ室容器４、密閉容器１５、ピストン１９、畜圧室容器２５を備えている。
【００１９】
接地された金属あるいは碍子等からなる密閉容器１５内には、消弧性ガス１６が充填されている。密閉容器１５内には可動アーク接触子１および固定アーク接触子２が対向して配置されている。可動アーク接触子１および固定アーク接触子２は通常運転時では接触導通状態にあり、遮断動作時は可動アーク接触子１が破線矢印で示す遮断方向１３に移動し、可動アーク接触子１と固定アーク接触子２との間の空間にアークプラズマ１７を発生させる。
【００２０】
ノズル３は、固定アーク接触子２に隣接しており、パッファ室容器４と接続している。このパッファ室容器４は、可動アーク接触子１とピストン１９によりパッファ室５を形成する。パッファ室５には消弧性ガス１６が充填されている。また、ノズル３とパッファ室容器４とは、ガス遮断器の遮断動作時には破線矢印で示す遮断方向１３に移動する。
【００２１】
ピストン１９は、可動アーク接触子１と隣接しているが、ガス遮断器の遮断動作時にも移動しない。そのため、遮断動作時にはピストン１９は、パッファ室容器４および可動アーク接触子１と摺動する。
【００２２】
また、ピストン１９のパッファ室５との境界壁には貫通孔１９ａが設けられており、この貫通孔１９ａのピストン１９側に畜圧室容器２５が設置されている。この畜圧室容器２５は、例えばベローズ等により容積可変に構成され、内部に畜圧室１８を形成する。この畜圧室１８は、消弧性ガス１６が充填されており、貫通孔を介してパッファ室５と連結している。
【００２３】
また、図２は図１におけるＸ−Ｘ’断面図である。
【００２４】
可動アーク接触子１、パッファ室容器４、ピストン１９、および密閉容器１５はいずれも同心円状に形成されており、密閉容器１５の内側には消弧性ガス１６が充填されている。
【００２５】
さらに、畜圧室容器２５はピストン１９内に複数備えられている。
【００２６】
（作用）
上述した構成を備えるガス遮断器の動作について図１、図３および図４を用いて説明する。図１は、ガス遮断器の遮断動作初期の開極直後の状態を示している。図３は、ガス遮断器の遮断動作中期の状態を示している。図４は、ガス遮断器の遮断動作後期の状態を示している。
【００２７】
図１に示す遮断動作初期では、可動アーク接触子１、ノズル３、およびパッファ室容器４は、遮断方向１３に移動しているが、ピストン１９は固定されている。そのため、パッファ室５の容積が減少し、パッファ室５内の消弧性ガス１６の圧力（以下、ガス圧力とする）が上昇するため、パッファ室５からアークプラズマ１７へ向かうガス流１２ａが発生する。また同様に、パッファ室５内のガス圧力が上昇しているため、パッファ室５から畜圧室１８に向かうガス流１２ｃが発生し、畜圧室１８の容積を増加させる。
【００２８】
また、図３に示す遮断動作中期でも、可動アーク接触子１、ノズル３、およびパッファ室容器４は、遮断方向１３に移動しているが、ピストン１９は固定されている。しかし、高温のアークプラズマ１７によるエネルギーにより、アークプラズマ１７付近のガス圧力がパッファ室５のガス圧力より大きくなるため、アークプラズマ１７からパッファ室５に向かうガス流１２ｂが発生する。そのため、パッファ室５内のガス圧力が上昇を続け、パッファ室５から畜圧室１８に向かうガス流１２ｃも継続するため、さらに畜圧室１８の容積を増加させる。ここで、実際にアークプラズマ１７からパッファ室５に向かうガス流１２ｂが発生するタイミングは、遮断時の電流値（以下、遮断電流とする）、アークプラズマ１７が継続する時間（以下、アーク時間とする）、等に依存する。
【００２９】
また、図４に示す遮断動作後期では、可動アーク接触子１、ノズル３、およびパッファ室容器４の移動は完了し、固定されている。この時、パッファ室５へのアークプラズマ１７からのエネルギーの流入は減少するため、パッファ室５内のガス圧力が減少する。そして、パッファ室５内のガス圧力が、畜圧室１８内のガス圧力より小さくなると、畜圧室１８からパッファ室５に向かうガス流１２ｄが発生し、そのガス流１２ｄによりパッファ室５から押し出された消弧性ガス１６が、アークプラズマ１７に向かうガス流１２ａとなる。
【００３０】
（効果）
このような上記の動作により、遮断動作後期においても、パッファ室５の圧力が低下すると蓄圧室１８の圧力の方が高くなり、蓄圧室１８からパッファ室５へ向かうガス流１２ｄによって、パッファ室５からアークプラズマ１７へ向かうガス流１２ａが発生し、アークプラズマ１７への消弧性ガス１６の吹き付けが強くなる。そのため、アークプラズマ１７が遮断動作後期まで継続する場合にも、アークプラズマ１７を消弧し、遮断を完了させることが可能である。
【００３１】
なお、畜圧室１８の容積、畜圧室１８を構成するベローズのバネ強度、畜圧室１８とパッファ室５を連結する貫通孔１９ａの大きさ、パッファ室５の容積、等は、任意に設定可能であり、ガス流１２ａ、１２ｂ、１２ｃの強さ、タイミングを変更することが可能である。
【００３２】
また、図２に示す本実施形態のガス遮断器のＸ−Ｘ’断面図では、畜圧室容器２５を複数設置していたが、図５に示すように、円筒形状の畜圧室容器２５をピストン１９内に設置しても良い。
【００３３】
（第２の実施形態）
（構成）
第２の実施形態にけるガス遮断器の構成について図６および図７を用いて説明する。図６は、ガス遮断器の遮断動作初期の開極直後の状態を示す断面図である。図６のガス遮断器は、中心軸を中心として円筒形状であるため、断面図の半分を示している。第１の実施形態の図１と同一の構成には同一の符号を付し、説明は省略する。
【００３４】
第１の実施形態と異なる点は、畜圧室容器２５の容積を固定とし、パッファ室５と畜圧室１８との境界壁に逆止弁２７ａ、２７ｂを備えた点である。
【００３５】
逆止弁２７ａは、パッファ室５と畜圧室１８との境界壁に設けられた貫通孔に設置され、パッファ室５から畜圧室１８への消弧性ガス１６の移動を可能とし、畜圧室１８からパッファ室５への消弧性ガスの移動を防止している。また、逆止弁２７ａは、バネ等の弾性体により付勢されて貫通孔を閉塞している。
【００３６】
逆止弁２７ｂも同様に、パッファ室５と畜圧室１８との境界壁に設けられた貫通孔に設置され、畜圧室１８からパッファ室５への消弧性ガスの移動を可能とし、パッファ室５から畜圧室１８への消弧性ガスの移動を防止している。また、逆止弁２７ｂは、バネ等の弾性体により付勢されて貫通孔を閉塞している。
【００３７】
また、図７は図６におけるＸ−Ｘ’断面図である。
【００３８】
可動アーク接触子１、パッファ室容器４、ピストン１９、密閉容器１５、および畜圧室容器２５はいずれも同心円状に形成されており、密閉容器１５の内側には消弧性ガス１６が充填されている。
【００３９】
（作用）
上述した構成を備えるガス遮断器の動作について図６、図８、および図９を用いて説明する。図６は、ガス遮断器の遮断動作初期の開極直後の状態を示している。図８は、ガス遮断器の遮断動作中期の状態を示している。図９は、ガス遮断器の遮断動作後期の状態を示している。
【００４０】
図６に示す遮断動作初期では、可動アーク接触子１、ノズル３、およびパッファ室容器４は、遮断方向１３に移動しているが、ピストン１９は固定されている。そのため、パッファ室５の容積が減少し、パッファ室５内の消弧性ガス１６の圧力（以下、ガス圧力とする）が上昇するため、パッファ室５からアークプラズマ１７へ向かうガス流１２ａが発生する。また同様に、パッファ室５内のガス圧力が上昇しているため、パッファ室５から逆止弁２７ａを通って畜圧室１８に向かうガス流１２ｃが発生する。
【００４１】
また、図８に示す遮断動作中期でも、可動アーク接触子１、ノズル３、およびパッファ室容器４は、遮断方向１３に移動しているが、ピストン１９は固定されている。しかし、高温のアークプラズマ１７によるエネルギーにより、アークプラズマ１７付近のガス圧力がパッファ室５のガス圧力より大きくなるため、アークプラズマ１７からパッファ室５に向かうガス流１２ｂが発生する。そのため、パッファ室５内のガス圧力が上昇を続け、パッファ室５から逆止弁２７ａを通って畜圧室１８に向かうガス流１２ｃも継続する。ここで、実際にアークプラズマ１７からパッファ室５に向かうガス流１２ｂが発生するタイミングは、遮断時の電流値（以下、遮断電流とする）、アークプラズマ１７が継続する時間（以下、アーク時間とする）、等に依存する。
【００４２】
また、図９に示す遮断動作後期では、可動アーク接触子１、ノズル３、およびパッファ室容器４の移動は完了し、固定されている。この時、パッファ室５へのアークプラズマ１７からのエネルギーの流入は減少するため、パッファ室５内のガス圧力が減少する。そして、パッファ室５内のガス圧力が、畜圧室１８内のガス圧力より小さくなると、畜圧室１８から逆止弁２７ｂを通ってパッファ室５に向かうガス流１２ｄが発生し、そのガス流１２ｄによりパッファ室５から押し出された消弧性ガス１６が、アークプラズマ１７に向かうガス流１２ａとなる。
【００４３】
（効果）
本実施形態によれば、第１の実施形態の効果に加え、畜圧室容器２５の容積を固定とすることができ、畜圧室容器２５の強度を増加させることが可能である。
【００４４】
また、逆止弁２７ａ、２７ｂが設置される貫通孔の大きさ等を任意に設定することで、ガス流１２ａ、１２ｂ、１２ｃの強さ、タイミングをさらに変更することが可能である。
【００４５】
なお、図７に示す本実施形態のガス遮断器のＸ−Ｘ’断面図では、円筒形状の畜圧室容器２５を設置していたが、図１０に示すように、複数の畜圧室容器２５をピストン１９内に設置しても良い。
【００４６】
（第３の実施形態）
（構成）
第３の実施形態にけるガス遮断器の構成について図１１および図１２を用いて説明する。図１１は、ガス遮断器の遮断動作初期の開極直後の状態を示す断面図である。図１１のガス遮断器は、中心軸を中心として円筒形状であるため、断面図の半分を示している。第２の実施形態の図４と同一の構成には同一の符号を付し、説明は省略する。
【００４７】
第２の実施形態と異なる点は、畜圧室１８内に仕切り板２８を設けた点である。
【００４８】
仕切り板２８は、パッファ室５と畜圧室１８との境界壁に設けられ、逆止弁２７ａから流れ込んだ消弧性ガス１６が逆止弁２７ｂから流れ出すまでに通過する経路を長くするように構成されている。
【００４９】
また、図１２は図１１におけるＸ−Ｘ’断面図である。
【００５０】
可動アーク接触子１、パッファ室容器４、ピストン１９、密閉容器１５、畜圧室容器２５、および仕切り板２８はいずれも同心円状に形成されており、密閉容器１５の内側には消弧性ガス１６が充填されている。
【００５１】
（作用）
上述した構成を備えるガス遮断器の動作について図１１、図１３、および図１４を用いて説明する。図１１は、ガス遮断器の遮断動作初期の開極直後の状態を示している。図１３は、ガス遮断器の遮断動作中期の状態を示している。図１４は、ガス遮断器の遮断動作後期の状態を示している。
【００５２】
図１１に示す遮断動作初期では、可動アーク接触子１、ノズル３、およびパッファ室容器４は、遮断方向１３に移動しているが、ピストン１９は固定されている。そのため、パッファ室５の容積が減少し、パッファ室５内の消弧性ガス１６の圧力（以下、ガス圧力とする）が上昇するため、パッファ室５からアークプラズマ１７へ向かうガス流１２ａが発生する。また同様に、パッファ室５内のガス圧力が上昇しているため、パッファ室５から逆止弁２７ａを通って畜圧室１８に向かうガス流１２ｃが発生する。
【００５３】
また、図１３に示す遮断動作中期でも、可動アーク接触子１、ノズル３、およびパッファ室容器４は、遮断方向１３に移動しているが、ピストン１９は固定されている。しかし、高温のアークプラズマ１７によるエネルギーにより、アークプラズマ１７付近のガス圧力がパッファ室５のガス圧力より大きくなるため、アークプラズマ１７からパッファ室５に向かうガス流１２ｂが発生する。そのため、パッファ室５内のガス圧力が上昇を続け、パッファ室５から逆止弁２７ａを通って畜圧室１８に向かうガス流１２ｃも継続する。ここで、実際にアークプラズマ１７からパッファ室５に向かうガス流１２ｂが発生するタイミングは、遮断時の電流値（以下、遮断電流とする）、アークプラズマ１７が継続する時間（以下、アーク時間とする）、等に依存する。
【００５４】
また、図１４に示す遮断動作後期では、可動アーク接触子１、ノズル３、およびパッファ室容器４の移動は完了し、固定されている。この時、パッファ室５へのアークプラズマ１７からのエネルギーの流入は減少するため、パッファ室５内のガス圧力が減少する。そして、パッファ室５内のガス圧力が、畜圧室１８内のガス圧力より小さくなると、畜圧室１８から逆止弁２７ｂを通ってパッファ室５に向かうガス流１２ｄが発生する。この時発生するガス流１２ｄは、逆止弁２７ａから流れ込んだ消弧性ガス１６がガス経路２９を通ってパッファ室５に放出される。そして、ガス流１２ｄによりパッファ室５から押し出された消弧性ガス１６が、アークプラズマ１７に向かうガス流１２ａとなる。
【００５５】
（効果）
本実施形態によれば、第２の実施形態の効果に加え、逆止弁２７ａから流れ込んだ消弧性ガス１６が逆止弁２７ｂから流れ出すまでに通過する経路を長くできる。すなわち、消弧性ガス１６が通過する経路を長くすることによって、この経路を通過中には消弧性ガス１６が冷やされるため、遮断動作後期に発生するパッファ室５からアークプラズマ１７へ向かうガス流１２ａの温度を低下にすることができる。アークプラズマ１７へ吹き付けるガス流１２ａの温度を低下させることによって、吹き付けられる消弧性ガス１６の絶縁性能を向上させることが可能である。
【００５６】
なお、図１２に示す本実施形態のガス遮断器のＸ−Ｘ’断面図では、円筒形状の畜圧室容器２５を設置していたが、図１５に示すように、複数の畜圧室容器２５をピストン１９内に設置しても良い。
【００５７】
本発明に係る実施形態によれば、アーク時間が長い場合にもアークプラズマへのガス流の吹き付け力を高めたガス遮断器を提供することが可能となる。
【００５８】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００５９】
１…可動アーク接触子
２…固定アーク接触子
３…ノズル
４…パッファ室容器
５…パッファ室
１２ａ、１２ｂ、１２ｃ、１２ｄ…ガス流
１３…遮断方向
１５…密閉容器
１６…消弧性ガス
１７…アークプラズマ
１８…畜圧室
１９…ピストン
２５…畜圧室容器
２７ａ、２７ｂ…逆止弁
２８…仕切り板
２９…ガス経路
【図１】
2012151000.tif 000003
【図２】
2012151000.tif 000004
【図３】
2012151000.tif 000005
【図４】
2012151000.tif 000006
【図５】
2012151000.tif 000007
【図６】
2012151000.tif 000008
【図７】
2012151000.tif 000009
【図８】
2012151000.tif 000010
【図９】
2012151000.tif 000011
【図１０】
2012151000.tif 000012
【図１１】
2012151000.tif 000013
【図１２】
2012151000.tif 000014
【図１３】
2012151000.tif 000015
【図１４】
2012151000.tif 000016
【図１５】
2012151000.tif 000017
【図１６】
2012151000.tif 000018